(57)【要約】【課題】安価に製造することができ、パネル敷設後の高さの調整が容易に行える浮き床用支持脚Ａを提供する【解決手段】下部支持脚１０と上部支持脚２０と受け板３０と高さ調整ボルト４０とを備え、下部支持脚１０は底面に底板が設けられ上面が開口した中空筒であり、上部支持脚２０は上面に積載板が設けられ底面が開口した中空筒であり、上部支持脚２０は下部支持脚１０内にテレスコ状に挿入自在であり、積載板２２はグラウト注入孔２４と中央のネジ孔２３が設けられており、ネジ孔２３に高さ調整ボルト４０が螺合されている浮き床用支持脚である。単純な構造であるので、安価に製造することができる。高さ調整ボルト４０を回転させ積載板の高さを調整することによって、浮き床パネルＢの高さを調整することができる。【選択図】図１
2011132782.tif 000002
【特許請求の範囲】
【請求項１】
下部支持脚と、上部支持脚と、受け板と、該受け板に回転自在に立設された高さ調整ボルトとを備え、
前記下部支持脚は、底面に底板が設けられ、上面が開口した中空筒であり、
前記上部支持脚は、上面に積載板が設けられ、底面が開口した中空筒であり、
前記上部支持脚は前記下部支持脚内にテレスコ状に挿入自在であり、
前記積載板は、グラウト注入孔と、中央のネジ孔が設けられており、
該ネジ孔に前記高さ調整ボルトが螺合されている
ことを特徴とする浮き床用支持脚。
【請求項２】
前記上部支持脚の下端外周に環状のクッションゴムが取り付けられている
ことを特徴とする請求項１記載の浮き床用支持脚。
【請求項３】
前記上部支持脚の外面に、前記下部支持脚内面との隙間を小さくする棒鋼が設けられている
ことを特徴とする請求項１または２記載の浮き床用支持脚。
【請求項４】
前記底板に水準調整ボルトが螺合されており、モルタル注入孔が設けられている
ことを特徴とする請求項１，２または３記載の浮き床用支持脚。
【請求項５】
前記積載板に、浮き床パネルに設けられた固定孔に挿入可能なピンが設けられている
ことを特徴とする請求項１，２，３または４記載の浮き床用支持脚。
【請求項６】
前記積載板に、浮き床パネルの目地に挿入可能な位置決めバーが設けられている
ことを特徴とする請求項１，２，３，４または５記載の浮き床用支持脚。
【請求項７】
請求項１に記載の浮き床用支持脚を用いた浮き床パネルの敷設方法であって、
下部支持脚を既存床面上に設置し、
該下部支持脚内にコンクリートを充填し、固化することにより粗く高さ調整し、
該コンクリートの上に受け板を設置し、
上部支持脚と、予めネジ孔に螺合しておいた調整ボルトと前記下部支持脚内に挿入し、
前記積載板の上に浮き床パネルを積載し、
前記高さ調整ボルトを回転させることで浮き床パネルの高さを調整し、
前記積載板のグラウト注入孔から前記上部支持脚内にグラウトを充填し、固化する
ことを特徴とする浮き床パネル敷設方法。
【発明の詳細な説明】
【技術分野】
【０００１】
本発明は、浮き床用支持脚および浮き床パネル敷設方法に関する。さらに詳しくは、既存床面上に一定の高さの隙間を空けて浮き床パネルを敷設する方法、およびそれに用いる浮き床用支持脚に関する。
【背景技術】
【０００２】
主に屋外のバルコニーや屋上などにおいて、既存床面上に一定の高さの隙間を空けて浮き床パネルを敷設することにより、浮き床パネル下の空間に配管を設置したり、屋内外の高さを調整することによりバリヤフリーにしたりすることがなされている。
浮き床パネルの敷設には浮き床用支持脚が用いられ、従来の浮き床用支持脚の一例として特許文献１に記載の支持装置がある。
【０００３】
図８に示すように、特許文献１の支持装置は、基台110と、基台110上に形成される浮き床パネルの支持部130と、支持部130に対して固定ネジ杆141を介して下動する押え板144とを具備する。基台110は、全体として平面形状円形に形成され、最下部の屋上載置部111、屋上載置部111上に形成された立上り筒部111ａ、立上り筒部111ａの内壁に螺合される下調整ネジ筒113、および、下調整ネジ筒113の内壁空洞部に螺合される上調整ネジ筒114とからなる。
このような構成であるから、下調整ネジ筒113および上調整ネジ筒114を回転させることによって、受け台面116の高さを自由自在に調整し、浮き床パネルを敷設高さに対応させることができる。
【０００４】
しかるに、浮き床用支持脚は一度浮き床パネルを敷設すれば、もはや高さ調整を行う必要がないにも関わらず、上記のような大形のネジで螺合する構成としているため、構造が複雑となり、製造コストが高くなるという問題がある。また、いったん浮き床パネルを敷設した後で高さの微調整をするには床下に人が入って上調整ネジ筒114や下調整ネジ筒113を回転させなければならないが、この作業は事実上は不可能である。
【先行技術文献】
【特許文献】
【０００５】
【特許文献１】特開２００１−１７３２０４号公報
【発明の概要】
【発明が解決しようとする課題】
【０００６】
本発明は上記事情に鑑み、安価に製造することができ、パネル敷設後の高さの調整が容易に行える浮き床用支持脚を提供することを目的とする。
【課題を解決するための手段】
【０００７】
第１発明の浮き床用支持脚は、下部支持脚と、上部支持脚と、受け板と、該受け板に回転自在に立設された高さ調整ボルトとを備え、前記下部支持脚は、底面に底板が設けられ、上面が開口した中空筒であり、前記上部支持脚は、上面に積載板が設けられ、底面が開口した中空筒であり、前記上部支持脚は前記下部支持脚内にテレスコ状に挿入自在であり、前記積載板は、グラウト注入孔と、中央のネジ孔が設けられており、該ネジ孔に前記高さ調整ボルトが螺合されていることを特徴とする浮き床用支持脚。
第２発明の浮き床用支持脚は、第１発明において、前記上部支持脚の下端外周に環状のクッションゴムが取り付けられていることを特徴とする浮き床用支持脚。
第３発明の浮き床用支持脚は、第１または第２発明において、前記上部支持脚の外面に、前記下部支持脚内面との隙間を小さくする棒鋼が設けられていることを特徴とする浮き床用支持脚。
第４発明の浮き床用支持脚は、第１，第２または第３発明において、前記底板に水準調整ボルトが螺合されており、モルタル注入孔が設けられていることを特徴とする浮き床用支持脚。
第５発明の浮き床用支持脚は、第１，第２，第３または第４発明において、前記積載板に、浮き床パネルに設けられた固定孔に挿入可能なピンが設けられていることを特徴とする浮き床用支持脚。
第６発明の浮き床用支持脚は、第１，第２，第３，第４または第５発明において、前記積載板に、浮き床パネルの目地に挿入可能な位置決めバーが設けられていることを特徴とする浮き床用支持脚。
第７発明の浮き床パネル敷設方法は、第１発明における浮き床用支持脚を用いた浮き床パネルの敷設方法であって、下部支持脚を既存床面上に設置し、該下部支持脚内にコンクリートを充填し、固化することにより粗く高さ調整し、該コンクリートの上に受け板を設置し、上部支持脚と、予めネジ孔に螺合しておいた調整ボルトと前記下部支持脚内に挿入し、前記積載板の上に浮き床パネルを積載し、前記高さ調整ボルトを回転させることで浮き床パネルの高さを調整し、前記積載板のグラウト注入孔から前記上部支持脚内にグラウトを充填し、固化することを特徴とする。
【発明の効果】
【０００８】
第１発明によれば、下部支持脚および上部支持脚が中空筒であり、単純な構造であるので、安価に製造することができる。したがって、浮き床パネルの施工費用も安価にすることができる。また、上部支持脚は下部支持脚内にテレスコ状に挿入自在であり、積載板に設けられたネジ孔に高さ調整ボルトが螺合されているので、高さ調整ボルトを回転させ積載板の高さを調整することによって、浮き床パネルの高さを調整することができる。さらに、上部支持脚は下部支持脚内に挿入された状態でも水平面内で動く余地があるので、積載した浮き床パネルの水平方向の位置合わせが容易である。
第２発明によれば、上部支持脚の下端外周に環状のクッションゴムが取り付けられているので、上部支持脚と下部支持脚との間の摩擦により、上部支持脚を粗く位置決めすることができる。また、上部支持脚と下部支持脚との隙間が密閉され、上部支持脚内に充填するグラウトが外に漏れ出るのを防止することができる。
第３発明によれば、上部支持脚の外面に下部支持脚内面との隙間を小さくする棒鋼が設けられているので、上部支持脚が下部支持脚内で大きく傾くことを防止することができる。
第４発明によれば、底板に水準調整ボルトが螺合されているので、既存床面が勾配を有していたり平面でなかったりしても、底板を水平にして下部支持脚を設置することができる。また、底板にモルタル注入孔が設けられているので、底板と既存床面との間にモルタルを充填し、固化することにより、底板全体で浮き床用支持脚にかかる重量を支えることができる。
第５発明によれば、積載板に浮き床パネルに設けられた固定孔に挿入可能なピンが設けられているので、浮き床パネルを所定の位置で固定することができる。
第６発明によれば、積載板に浮き床パネルの目地に挿入可能な位置決めバーが設けられているので、浮き床パネルの目地幅を一定に保つことができる。
第７発明によれば、下部支持脚内にコンクリートを充填し、コンクリートの上に受け板を設置するので、コンクリートの充填量で浮き床パネルの高さを調整することができる。また、高さ調整ボルトを回転させることで、浮き床パネルの高さを微調整することができる。さらに、下部支持脚内および上部支持脚内にはコンクリートやグラウトが充填されているから、浮き床用支持脚は強固になり、相当の重量を支えることができる。
【図面の簡単な説明】
【０００９】
【図１】本発明の一実施形態に係る浮き床用支持脚Ａの使用状態説明図である。
【図２】同浮き床用支持脚Ａの下部支持脚１０を示し、（Ａ）は平面図、（Ｂ）は側面図、（Ｃ）は（Ａ）図におけるC-C線断面図である。
【図３】同浮き床用支持脚Ａの上部支持脚２０を示し、（Ａ）は平面図、（Ｂ）は側面図、（Ｃ）は（Ａ）図におけるC-C線断面図である。
【図４】同浮き床用支持脚Ａのクッションゴム２８の斜視図である。
【図５】同浮き床用支持脚Ａの受け板３０と高さ調整ボルト４０の説明図である。
【図６】同浮き床用支持脚Ａを用いた浮き床パネルＢの敷設方法の説明図であり、（Ａ）は下部支持脚設置、（Ｂ）はコンクリート充填、（Ｃ）は上部支持脚設置、（Ｄ）は浮き床パネル積載を示す図である。
【図７】同浮き床用支持脚Ａを用いた浮き床の説明図であり、（Ａ）は平面図、（Ｂ）は側面図である。
【図８】従来技術の浮き床用支持脚の側面図である。
【発明を実施するための形態】
【００１０】
つぎに、本発明の実施形態を図面に基づき説明する。
図１に示すように、本発明の一実施形態に係る浮き床用支持脚Ａは、主に下部支持脚１０と、上部支持脚２０と、受け板３０と、受け板３０に回転自在に立設された高さ調整ボルト４０とからなる。
【００１１】
図２に示すように、下部支持脚１０は中空の円筒部１１と矩形の底板１２とからなり、円筒部１１の一端に底板１１が溶接され、底板１１を床面に設置することにより円筒部１１を立設できるようになっている。円筒部１１の他端、すなわち下部支持脚１０の上面は開口した形状となっている。
【００１２】
また、底板１２の四隅には水準調整ボルト１３が螺合されており、水準調整ボルト１３のネジ先が底板１２から下方に突き出るようになっている。そのため、各水準調整ボルト１３のねじ込み具合を調整することにより、床面に設置したときの底板１２の水準を調整することができるようになっている。
さらに、底板１２にはモルタル注入孔１４が設けられており、水準調整ボルト１３で底板１２の水準を調整した後に、底板１２と床面との間にモルタルを充填することができるようになっている。
【００１３】
図３に示すように、上部支持脚２０は中空の円筒部２１と矩形の積載板２２とからなり、円筒部２１の上端に積載板２２が溶接され、底端は開口した形状となっている。円筒部２１は、その外径が下部支持脚１０の円筒部１１の内径よりもわずかに小さくなっており、円筒部１１内にテレスコ状に挿入自在となっている。円筒部２１が円筒部１１内に挿入された状態では、積載板２２が上部支持脚２０の上面となり、積載板２２の上に浮き床パネルＢを積載できるようになる。
【００１４】
積載板２２には、その中央に孔があけられ、円筒部２１の内側にその孔に連通する高ナットが溶接されることにより、ネジ孔２３が形成されている。また、ネジ孔２３の周囲であって積載板２２の前後中央位置には、円筒部２１内に連通するグラウト注入孔２４が設けられている。
【００１５】
また、積載板２２の上面四隅には、上方に突出したピン２５が設けられている。さらに、積載板２２の外周であって前後中央および左右中央位置には、中央に向かって長く、かつ、上方の突出した位置決めバー２６が設けられている。なお、ピン２５と位置決めバー２６は、両方設けなくても、いずれか一方でもよい。その場合でも浮き床の位置決めは可能である。また、ピン２５は、もっと短いものでもよい。
【００１６】
円筒部２１の下端には、その外周を一周する溝２７が形成されており、その溝２７には図４に示す環状のクッションゴム２８が取り付けられるようになっている。
クッションゴム２８により、上部支持脚２０の円筒部２１と下部支持脚１０の円筒部１１との隙間を密閉することができるようになる。
【００１７】
また円筒部２１の外面には、４本の断面丸型の棒鋼２９が円筒部２１の長手方向に沿って溶接されており、上部支持脚２０の円筒部２１と下部支持脚１０の円筒部１１との摺動を自在としつつも、円筒部２１と円筒部１１との隙間を小さくして上部支持脚２０の傾きを規制するようになっている。
【００１８】
図５に示すように、受け板３０は板部材３１と円筒部材３２とからなる。板部材３１は上部支持脚２０の円筒部２１の内側に収まる大きさであり、板部材３１の中央には円筒部材３２が立設され、溶接されている。
高さ調整ボルト４０は長尺のボルトであり、そのネジ先はネジ山が形成されておらず、円筒部材３２に挿入、回転自在になっている。そのため、高さ調整ボルト４０は受け板３０に回転自在に立設されるようになる。高さ調整ボルト４０の頭部頂面には六角穴などが設けられており、工具で回転できるようになっている。そして高さ調整ボルト４０の軸径は積載板２２に設けられたネジ孔２３に螺合するサイズとなっている。
【００１９】
以上のように、本実施形態の支持脚Ａは、円筒部材や長ボルトからなる単純な構成であるので、安価に製造することができる。したがって、浮き床パネルＢの施工費用も安価にすることができる。
【００２０】
つぎに、浮き床用支持脚Ａを用いた浮き床パネルＢの敷設方法について説明する。
（１）下部支持脚設置
本実施形態に係る浮き床用支持脚Ａは、図７（Ａ）に示すように、碁盤目状に敷設される浮き床パネルＢの目地の交点を支えるように設置される。そのため、まず浮き床パネルＢの寸法に合わせて既存の床面に下部支持脚１０を設置する。
図６（Ａ）に示すように、下部支持脚１０を設置する際には、底板１２に螺合された水準調整ボルト１３のねじ込み具合を調整し、底板１２が水平になるようにする。こうすることで、既存床面が勾配を有していたり平面でなかったりしても、下部支持脚１０を設置することができる。
底板１２を水平に調整した後、底板１２に設けられたモルタル注入孔１４からモルタル５１を注入し、底板１２と既存床面との間にモルタル５１を充填して、固化する。これにより、底板１２全体で浮き床用支持脚Ａにかかる重量を支えることができるようになる。
【００２１】
（２）コンクリート充填
つぎに、図６（Ｂ）に示すように、設置した下部支持脚１０の円筒部１１内にコンクリート５２を充填し、固化させる。後述するように、コンクリート５２の上面を基準として、高さ調整ボルト４０によって上部支持脚２０の高さを調整するので、コンクリート５２の充填量を調整することにより、浮き床パネルＢの高さを粗く調整することができる。
【００２２】
（３）上部支持脚設置
つぎに、図６（Ｃ）に示すように、コンクリート５２の上に受け板３０を設置し、上部支持脚２０と、予め上部支持脚２０のネジ孔２３に螺合しておいた高さ調整ボルト４０とを下部支持脚１０の円筒部１１内に挿入する。このとき、高さ調整ボルト４０のネジ先が受け板３０の円筒部材３２に嵌るようにする。なお、受け板３０は接着などする必要はなく、単にコンクリート５２の上に置くだけでよい。
上部支持脚２０の外面には棒鋼２９が設けられているので、上部支持脚２０が下部支持脚１０内で大きく傾くことを防止することができる。また、上部支持脚２０の下端外周に環状のクッションゴム２８が取り付けられているので、上部支持脚２０と下部支持脚１０との間の摩擦により、上部支持脚１０を粗く位置決めすることができる。
【００２３】
（４）浮き床パネル積載
つぎに、図６（Ｄ）に示すように、積載板２２の上に浮き床パネルＢを積載する。浮き床パネルＢには、予め底面の四隅に固定孔が設けられており、その固定孔に積載板２２に設けられたピン２５を挿入することにより、浮き床パネルＢを所定の位置で固定することができる。ここで、図７（Ａ）に示すように、１本の浮き床用支持脚Ａには４枚の浮き床パネルＢの角が積載されるので、積載板２２の四隅に設けられた４本のピン２５は、それぞれ１つずつの浮き床パネルＢの固定孔に挿入されるようにする。また、この状態で、積載板２２に設けられた位置決めバー２６は浮き床パネルＢの目地に挿入されるようになるので、浮き床パネルＢの目地幅を一定に保つことができる。
なお、上部支持脚２０の円筒部２１と下部支持脚１０の円筒部１１との間には隙間があり、上部支持脚２０は下部支持脚１０内に挿入された状態でも水平面内で動く余地があるので、下部支持脚１０の設置位置が若干ずれている場合であっても、積載した浮き床パネルＢの水平方向の位置合わせが容易である。
【００２４】
（５）浮き床パネル高さ調整
浮き床パネルＢを積載板２２の上に積載すると、積載板２２の中央に設けられたネジ孔２３に螺合された高さ調整ボルト４０は、浮き床パネルＢの目地の交点に位置することになる。
そこで、浮き床パネルＢの目地の交点から工具を挿入し、高さ調整ボルト４０を回転させることで浮き床パネルＢの高さを調整する。上部支持脚２０は下部支持脚１０内にテレスコ状に挿入されているので、高さ調整ボルト４０を回転させ積載板２２の高さを上下に調整することによって、浮き床パネルＢの高さを調整することができる。
【００２５】
（６）グラウト充填
最後に、図１に示すように、積載板２２に設けられたグラウト注入孔２４から上部支持脚２０内にグラウト５３を充填し、固化する。このとき、グラウト５３は可撓性のあるチューブを浮き床パネルＢの目地からグラウト注入孔２４まで挿入し、このチューブ通して注入する。そのためグラウト注入孔２４は、浮き床パネルＢの目地と一致する位置に設けられている。
なお、上部支持脚２０の円筒部２１の下端外周にはクッションゴム２８が取り付けられているので、上部支持脚２０と下部支持脚１０との隙間が密閉され、上部支持脚２０内に充填するグラウト５３が外に漏れ出るのを防止することができる。
このように、下部支持脚１０内および上部支持脚２０内にコンクリート５２やグラウト５３を充填することで、浮き床用支持脚Ａは強固になり、相当の重量を支えることができるようになる。
【００２６】
以上のように、本発明の敷設方法によると、敷設が容易に行え、高さ調整も簡単に行える。
【符号の説明】
【００２７】
Ａ    浮き床用支持脚
Ｂ    浮き床パネル
１０  下部支持脚
１１  円筒部
１２  底板
１３  水準調整ボルト
１４  モルタル注入孔
２０  上部支持脚
２１  円筒部
２２  積載板
２３  ネジ孔
２４  グラウト注入孔
２５  ピン
２６  位置決めバー
２７  溝
２８  クッションゴム
３０  受け板
３１  板部材
３２  円筒部材
４０  高さ調整ボルト
５１  モルタル
５２  コンクリート
５３  グラウト
【図１】
2011132782.tif 000003
【図２】
2011132782.tif 000004
【図３】
2011132782.tif 000005
【図４】
2011132782.tif 000006
【図５】
2011132782.tif 000007
【図６】
2011132782.tif 000008
【図７】
2011132782.tif 000009
【図８】
2011132782.tif 000010